(57)【要約】【課題】種々の形状、寸法の軒樋を支持することができる軒樋支持具を提供する。【解決手段】軒樋支持具１は軒樋５を受け支持する帯状の軟質素材よりなるバンド３０を有してなる。支持具本体１０は前固定部１２と後固定部１３とを備えており、バンド３０は、支持具本体１０の下側で、前固定部１２、後固定部１３間に連結された状態で、バンド３０と支持具本体１０との間に軒樋５を挟持、固定する。【選択図】図１
2019196584.tif 000002
【特許請求の範囲】
【請求項１】
支持具本体が建物の外面より突出するように固定される軒樋支持具において、
軒樋を受け支持する帯状の軟質素材よりなるバンドを有してなり、
前記支持具本体は前固定部と後固定部とを備えており、
前記バンドは、前記支持具本体の下側で、前記前固定部、前記後固定部間に連結された状態で、前記バンドと前記支持具本体との間に前記軒樋を挟持、固定することを特徴とする軒樋支持具。
【請求項２】
請求項１において、
前記前固定部、前記後固定部の少なくとも一方は、前記バンドの端部の可変な位置に接続されることを特徴とする軒樋支持具。
【請求項３】
請求項１または２において、
前記バンドの端部の一方には固定部材が取り付けされており、
前記前固定部、前記後固定部のいずれか一方は、前記固定部材が着脱自在に連結される連結部を備えていることを特徴とする軒樋支持具。
【請求項４】
請求項３において、
前記固定部材は、略直角に折曲した２つの折板片を折曲部でヒンジ連結してなり、連結した部位を支点部として、その一方側に配される２片部よりなる開放部と、他方側に配される２片部よりなる、前記バンドの端部と接続されたバンド接続部とを有し、前記開放部と前記バンド接続部のいずれか一方が折りたたまれたときに、他方が略平坦に開くように可動する構成とされており、
前記支持具本体は板状材とされ、前記連結部が前記開放部を折りたたまれた状態で通す開口を有してなり、
前記支点部が前記開口の上方に配され、前記開放部が略平坦に開いた状態で前記支持具本体の上面に配され、かつ、前記開口を通じて下方に配された前記バンド接続部と、それに接続された前記バンドとが前記支持具本体の下方に吊られるようにして、前記支持具本体と前記バンドとが連結されることを特徴とする軒樋支持具。
【発明の詳細な説明】
【技術分野】
【０００１】
本発明は軒樋支持具に関する。
【背景技術】
【０００２】
従来の軒樋支持具として、軒樋を受け支持する軒樋受け具が知られている（例えば、特許文献１参照）。軒樋受け具は、同文献の図１に示されているように軒樋の外面に添わせるように下方より支持するものであるから、支持用の本体部の形状は軒樋の外面に合致した形状とされる必要がある。
【先行技術文献】
【特許文献】
【０００３】
【特許文献１】特許第６２７７２４４号公報
【発明の概要】
【発明が解決しようとする課題】
【０００４】
しかしながら、近年、軒樋として形状、寸法の異なる多種のものが製造、販売されており、それに対応させるために製造業者は多種の軒樋支持具を製造する必要があった。また、軒樋支持具の製造業者や販売会社は、多種の軒樋に合わせて多種の軒樋支持具について在庫品を準備しておく必要があるが、保管スペースが足らなかったり、在庫管理に多くの工数を要したりするなどの問題が生じていた。
【０００５】
本発明は、このような事情を考慮して提案されたもので、その目的は、種々の形状、寸法の軒樋を支持することができる軒樋支持具を提供することにある。
【課題を解決するための手段】
【０００６】
上記目的を達成するために、請求項１に記載の軒樋支持具は、支持具本体が建物の外面より突出するように固定される軒樋支持具において、軒樋を受け支持する帯状の軟質素材よりなるバンドを有してなり、前記支持具本体は前固定部と後固定部とを備えており、前記バンドは、前記支持具本体の下側で、前記前固定部、前記後固定部間に連結された状態で、前記バンドと前記支持具本体との間に前記軒樋を挟持、固定することを特徴とする。
【０００７】
請求項２に記載の軒樋支持具は、前記前固定部、前記後固定部の少なくとも一方は、前記バンドの端部の可変な位置に接続されることを特徴とする。
【０００８】
請求項３に記載の軒樋支持具は、前記バンドの端部の一方には固定部材が取り付けされており、前記前固定部、前記後固定部のいずれか一方は、前記固定部材が着脱自在に連結される連結部を備えていることを特徴とする。
【０００９】
請求項４に記載の軒樋支持具は、前記固定部材は、略直角に折曲した２つの折板片を折曲部でヒンジ連結してなり、連結した部位を支点部として、その一方側に配される２片部よりなる開放部と、他方側に配される２片部よりなる、前記バンドの端部と接続されたバンド接続部とを有し、前記開放部と前記バンド接続部のいずれか一方が折りたたまれたときに、他方が略平坦に開くように可動する構成とされており、前記支持具本体は板状材とされ、前記連結部が前記開放部を折りたたまれた状態で通す開口を有してなり、前記支点部が前記開口の上方に配され、前記開放部が略平坦に開いた状態で前記支持具本体の上面に配され、かつ、前記バンド接続部と、それに接続された前記バンドとが前記支持具本体の下方に吊られるようにして、前記支持具本体と前記バンドとが連結されることを特徴とする。
【発明の効果】
【００１０】
請求項１に記載の軒樋支持具は上述した構成とされているため、種々の形状、寸法の軒樋を支持することができる。
【００１１】
請求項２に記載の軒樋支持具は上述した構成とされているため、軒樋の形状や寸法に合わせて、前固定部、後固定部のいずれかで、バンドの固定位置を調節することができる。
【００１２】
請求項３に記載の軒樋支持具は上述した構成とされているため、前固定部、後固定部のいずれかとバンドとを固定部材で簡単に連結することができ、そのため現場での固定作業を容易に行うことができる。
【００１３】
請求項４に記載の軒樋支持具は上述した構成とされているため、前固定部、後固定部のいずれかとバンドとの連結を簡易な構成で実現することができ、軒樋支持具の構成が複雑化せず、製造コストを低減化することができる。
【図面の簡単な説明】
【００１４】
【図１】本発明の一実施形態に係る軒樋支持具の正面図（取り付け状態の側面図）である。
【図２】同軒樋支持具の支持具本体の斜視図である。
【図３】（ａ）は、同軒樋支持具のバンドに取り付けて用いられる固定部材の分解斜視図である。（ｂ）は、バンドに固定部材を連結した状態の一態様を示す正面図である。
【図４】（ａ）（ｂ）は、固定部材付きのバンドの支持具本体への連結手順を示す一部断面正面図である。
【図５】他の固定部材の例を示す斜視図である。
【発明を実施するための形態】
【００１５】
以下に、本発明の実施の形態について、添付図面をもとに説明する。まず、本軒樋支持具１の基本構成について説明する。なお、本明細書においては、軒樋支持具１が建物の外面３に取り付けられた状態を基準として前後、左右、上下などの方向を規定した。また、図面においては、建物に取り付けられた状態において、その向かって右側より見たものを正面図として図示した。
【００１６】
本軒樋支持具１は、支持具本体１０が建物の外面３より突出するように固定される支持具である。この軒樋支持具１は、軒樋５を受け支持する帯状の軟質素材よりなるバンド３０を有してなる。支持具本体１０は前固定部１２と後固定部１３とを備えており、バンド３０は支持具本体１０の下側で、前固定部１２、後固定部１３間に連結された状態で、バンド３０と支持具本体１０との間に軒樋５を挟持、固定する。
【００１７】
以下、詳細に説明する。
【００１８】
支持具本体１０は、図１に示すように、板体を折曲してなるＬ字形状とされ、長手方向が上下方向を向き建物の外面３に添うように固定される添設部１６と、建物の外面３より前方に略水平となるように突出するように配される本体部１１とを備えて構成されている。
【００１９】
添設部１６には固定片１８があらかじめ結合されている。固定片１８は、図２に示すように、後ろ側に凹部を有した中央基部１８ａと、その両側に配された押さえ部１８ｂとを有した形状とされている。中央基部１８ａの後ろ側の凹部には、添設部１６がその長手方向が上下方向に合致するように配され、中央基部１８ａと添設部１６とがリベット２１で固定されている。なお、固定片１８は、現場へ持ち込む前に支持具本体１０に連結、固定されていることが望ましい。押さえ部１８ｂのそれぞれにはビス、釘などの固定具２２で押さえ部１８ｂを建物の外面３に固定するための固定具挿通孔１８ｃが開設してある。
【００２０】
支持具本体１０の本体部１１は、軒樋５を受け支持した状態でバンド３０を固定するための前固定部１２と後固定部１３とを備えている。前固定部１２は２つのバンド挿通孔１２ａ、１２ｂを有してなり、後固定部１３はバンド３０を連結、固定するための部位で、バンド３０の端部に取り付けられた固定部材４０が着脱自在に連結される連結部１４を有してなる。この連結部１４は開口１４ａを備えてなる。
【００２１】
バンド３０は、例えば、布や合成樹脂、薄板金属材料などの柔軟な材料を帯状または帯板状に加工してなり、一方の端部には固定部材４０が締結具３２で固定され、他方の端部側には、バンド３０の端部の可変な位置を前固定部１２に接続し得る留め具３１が取り付けられている。
【００２２】
このバンド３０は、一方の端部が固定部材４０を介して支持具本体１０の後固定部１３の連結部１４に固定され、支持具本体１０の下方に配した軒樋５を抱持し受け支持するように巻きつけられて、他方の端部を下方よりバンド挿通孔（後）１２ｂ、バンド挿通孔（前）１２ａに順に通し、さらにバンド挿通孔（前）１２ａから下方に通されたバンド３０の端部を留め具３１に通し、軒樋５を固定支持した状態で支持具本体１０に固定される。こうして軒樋５は、支持具本体１０の本体部１１とバンド３０との間に挟持される。
【００２３】
図１に示すように、軒樋５は、支持具本体１０の下方において、前耳５ａが前固定部１２のやや後ろ側に配され、後耳５ｂが後固定部１３のやや前側に配された状態で支持される。なお、この軒樋支持具１は前耳５ａ、後耳５ｂが直接的に係止されない構成であるため、耳のない軒樋でも支持することができる。
【００２４】
ついで、バンド３０の端部に取り付けられた固定部材４０と、その固定部材４０の回動機構について、図３および図４を参照しながら説明する。
【００２５】
固定部材４０は、図３（ａ）に示すように、略直角に折曲された折板片４１を２枚用いてなる。それぞれの折板片４１は、開放板部４１ａと接続板部４１ｂとが折曲部４１ｃを介して略直角に形成されており、折曲部４１ｃの外側にはピン挿通部４１ｄを有してなる。
【００２６】
この固定部材４０は、２つの折板片４１を折曲部４１ｃどうしでヒンジ連結してなり、連結した部位を支点部４３として、その一方側に配される２片部（２つの開放板部４１ａ）よりなる開放部４５と、他方側に配される２片部（２つの接続板部４１ｂ）よりなる、バンド３０の端部と接続されたバンド接続部４６とを有している。開放部４５とバンド接続部４６のいずれか一方が折りたたまれたときに、他方が略平坦に開くように可動する構成とされている。また、支持具本体１０の連結部１４である開口１４ａは、開放部４５を折りたたまれた状態で挿通できるような開口とされる。
【００２７】
図３（ａ）に示すように、固定部材４０は、折板片４１の折曲部４１ｃの外側にピン挿通部４１ｄを、一方には幅方向の両側に１つずつ有し、他方には幅方向の中央に１つ有し、それらを組み合わせてピン挿通してヒンジ部４３を構成し、このヒンジ部を支点部４３として回動可能に合体したものである。バンド接続部４６を構成する２片部が重なるように折りたたまれたときの接続板部４１ｂの同一重合位置には、バンド挿通口４１ｅが開設されている。その両方の挿通口にバンド３０の端部を通して、図３（ｂ）のようにバンド３０の端部が締結されている。
【００２８】
この固定部材４０は、支点部４３が開口１４ａの上方に配され、開放部４５が略平坦に開いた状態で支持具本体１０の本体部１１の上面に配され、かつ、開口１４ａを通じて下方に配されたバンド接続部４６と、それに接続されたバンド３０とが支持具本体１０の下方に吊られるようにしてある。このようにして支持具本体１０とバンド３０とが連結されている。
【００２９】
支持具本体１０に対するバンド３０の取り付けは、図４（ａ）（ｂ）に示すような手順で行うことができる。
【００３０】
まず、固定部材４０の開放部４５を折りたたんだ状態で、その先端部を支持具本体１０の開口１４ａに下側より通し（図４（ａ）参照）、開放部４５およびヒンジ部４３が開口１４ａの上側まで移動させ、開放部４５を前後に開く（図４（ｂ）参照）。その後は、バンド３０を図４（ｂ）の白抜き矢印の方向に引くことで、開放部４５がさらに開いてゆき（図４（ｂ）参照）、図１に示した略平坦な状態となる。
【００３１】
その後、軒樋５を図１の２点鎖線の位置に配した状態で、バンド３０のもう一方の端部を前固定部１２に固定すれば、バンド３０は支持具本体１０とともに軒樋５を支持した状態で、支持具本体１０に固定される。
【００３２】
また、固定部材４０としては、図５に示すように、折曲部４１ｃにピン挿通部４１ｄを備えた２つの折板片４１が幅方向に並べて構成されたものでもよい。このものもバンド接続部４６を構成する２片部（２つの接続板部４１ｂ）のそれぞれにはバンド挿通口４１ｅが開設してあり、その開口にはバンド３０の端部が、バンド接続部４６が開閉自在となるように固定されている。
【００３３】
この場合も図３の例と同様に、開放部４５を構成する２片部（２つの開放板部４１ａ）を折りたたんだ状態で開口１４ａに通すことで、支持具本体１０とバンド３０とを容易に連結することができる。
【００３４】
このような固定部材４０を有した軒樋支持具１によれば、支持具本体１０とバンド３０とを固定部材４０を介して現場で簡単に連結することができる。バンド３０と固定部材４０とは、現場に持ち込む前にあらかじめ固定しておけばよい。
【００３５】
また、図３に示した固定部材４０を用いれば、固定部材４０付きのバンド３０を、よりスムーズに支持具本体１０に連結することができる。また、図３のものは、折板片４１が前後で対称的に配されるため、施工後のずれは発生しにくい。一方、図５に示した固定部材４０を用いたものでは、同一の折板片４１で構成することができ、部品種類を減らして簡易な構成とすることができる。
【００３６】
以上のような軒樋支持具１によれば、帯状の軟質素材よりなるバンド３０で軒樋１を固定、支持する構成であるため、種々の寸法、形状の軒樋１を支持することができる。つまり、軒樋１は角樋であってもよい。また、現場ではバンド３０を前固定部１２（バンド挿通孔１２ａ、１２ｂ）に通し固定する作業をするだけでよいため、効率的な施工作業を実施できる。
【００３７】
また、本実施形態のように、後固定部１３に固定部材４０を連結する構成にすれば、固定部材４０を本体部１１の連結部１４に連結した後には、バンド３０の軒樋５の下方をくぐらせるように手前に引いて前固定部１２に取り付けるだけでよく、施工作業はしやすい。もちろん、前固定部１２に固定部材４０を配するようにし、後固定部１３に２つのバンド挿通孔を配するようにしてもよい。
【００３８】
以上に示した実施形態は、固定部材４０として折板片４１をヒンジ結合してなるものを示したが、これには限られない。フックよりなる固定部材であってもよい。バンド３０の端部にフックを取り付けて、そのフックを支持具本体１０の後固定部１３または前固定部１２に設けた掛かり部に引っ掛けるようにして固定してもよい。
【００３９】
また、軒樋支持具１としては、固定部材４０を用いずにバンド３０を前固定部１２、後固定部１３間に取り付ける構成としてもよい。例えば、紐状のバンド３０であれば、その一端を前固定部１２または後固定部１３に固定する構成のものでもよい。また、バンド３０としては、針金や柔軟な金属材料であってもよく、鎖のようなものでもよい。
【００４０】
以上の実施形態のものでは、バンド３０で軒樋を下方より抱持、支持するようにしてあるが、より強固に軒樋５を支持し得るように、十分に長いバンド３０を用いて、軒樋５に巻きつけた状態で前固定部１２、留め具３１で固定するようにしてもよい。また、バンド３０の弛みを防止するために、バンド３０の引き抜き（取り外し）ができない留め具３１を用いてもよい。
【符号の説明】
【００４１】
１            軒樋支持具
３            建物の外面
５            軒樋
５ａ          前耳
５ｂ          後耳
１０          支持具本体
１１          本体部
１２          前固定部
１２ａ        バンド挿通孔（前）
１２ｂ        バンド挿通孔（後）
１３          後固定部
１４          連結部
１４ａ        開口
１６          添設部
１８          固定片
１８ａ        中央基部
１８ｂ        押さえ部
１８ｃ        固定具挿通孔
２１          リベット
２２          固定具
３０          バンド
３１          留め具
３２          締結具
４０          固定部材
４１          折板片
４１ａ        開放板部
４１ｂ        接続板部
４１ｃ        折曲部
４１ｄ        ピン挿通部
４１ｅ        バンド挿通口
４２          ピン
４３          ヒンジ部（支点部）
４５          開放部
４６          バンド接続部
【図１】
2019196584.tif 000003
【図２】
2019196584.tif 000004
【図３】
2019196584.tif 000005
【図４】
2019196584.tif 000006
【図５】
2019196584.tif 000007